Podtech/llm-jp-corpus-v4-ja_patent huggingface dataset:
(57)【要約】      （修正有）【課題】マグネシウム合金鏝を提供する。【解決手段】本体素材をダイカスト鋳造方で肉厚を薄くし、また鏝の首部を一体鋳造することで軽量化したことを特徴とする。素材をアルミニウム合金からマグネシウム合金にすることにより軽量になり長時間使用出来る。また合金の中ではマグネシウム合金は比強度は最大の為本体を長く使える。木柄もネジ固定の為交換が簡単に出来る。【選択図】図１
0003215497.tif 000002
【実用新案登録請求の範囲】
【請求項１】
本体素材をダイカスト鋳造でマグネシウム製品にし軽量化。（図１、図２  ▲１▼▲２▼）
【請求項２】
木柄を鏝に接合する部分を特殊なネジを使用することにより破損時は簡単に交換可能になった。（図２  ▲６▼）
【考案の詳細な説明】
【技術分野】
【０００１】本考案はモルタル、コンクリート、土間塗り用鏝道具です。素材をマグネシウム合金で首部分も一体鋳造して軽量化。また、木柄の接合部分をネジ取付で交換可能。
【背景技術】
【０００２】従来の素材はアルミニウム合金に首部（鉄）をボンド接合、又は、樹脂に鉄をインサート成型していました。
木柄の接合はリベット、ピン、ボンドで接合しています。
【考案の概要】
【考案が解決しようとする課題】
【０００５】素材がアルミニウム合金で重量が有る為、長時間使用していると疲れる。【０００６】耐くぼみ性能は衝撃で出来るくぼみがアルミニウム合金より優れています。【０００７】素材が樹脂に鉄をインサートして重量が有る為、長時間使用していると疲れる。【０００８】素材が樹脂の場合強度が弱く気温で変形する。【０００９】木柄の交換が出来ない
【課題を解決するための手段】
【００１０】素材をアルミニウム合金からマグネシウム合金にすることにより軽量になり長時間使用出来る。同じ比重なら約２／３軽くなる。耐くぼみ性能は衝撃で出来るくぼみがアルミニウム合金より優れています。比強度は合金の中では最大です。マグネ＞アルミ    （図１、図２  ▲１▼）【００１１】鏝の首部もマグネシウム合金で一体鋳造することによりさらに軽量化しています。
本体を長く使えます。  （図１、図２  ▲１▼▲２▼）【００１２】木柄の接合部分をネジで取付することにより破損した場合に交換可能です。
（図２  ▲５▼▲６▼）
【考案の効果】
【００１３】素材をマグネシウム合金にした為、軽量で長時間使用可能になった。
（図１、図２  ▲１▼▲２▼）【００１４】鏝の首部を従来品の鉄からマグネシウム合金一体鋳造することによりさらに軽量することが可能になった。
（図１、図２  ▲２▼）【００１５】木柄を鏝に接合する部分を特殊なネジを使用することにより破損時は簡単に交換可能になった。
（図１、図２  ▲５▼▲６▼）【００１６】従来品より肉厚を薄くしても強度が保てます。（図１、図２  ▲１▼）
【図面の簡単な説明】
【００１７】
【図１】マグネシウム鏝の平面図である。
【図２】マグネシウム鏝の構造詳細図である。
【符号の説明】
【００１８】▲１▼  マグネシウム合金
▲２▼  首部
▲３▼  樹脂金具
▲４▼  樹脂接合ピン
▲５▼  木柄
▲６▼  木柄接合ネジ
【図１】
0003215497.tif 000003
【図２】
0003215497.tif 000004
【手続補正書】
【提出日】平成30年1月10日(2018.1.10)
【手続補正１】
【補正対象書類名】実用新案登録請求の範囲
【補正対象項目名】全文
【補正方法】変更
【補正の内容】
【実用新案登録請求の範囲】
【請求項１】
本体素材をダイカスト鋳造方で肉厚を薄くし、また鏝の首部を一体鋳造することで軽量化したことを特徴とするマグネシウム合金鏝。
【手続補正２】
【補正対象書類名】明細書
【補正対象項目名】００１０
【補正方法】変更
【補正の内容】
【００１０】素材をアルミニウム合金からマグネシウム合金にすることにより軽量になり長時間使用出来る。同じ比重なら約２／３軽くなる。
耐くぼみ性能は衝撃で出来るくぼみがアルミニウム合金より優れています。比強度は合金の中では最大です。
マグネシウム＞アルミニウム  （図１）
【手続補正３】
【補正対象書類名】明細書
【補正対象項目名】００１１
【補正方法】変更
【補正の内容】
【００１１】鏝の首部もマグネシウム合金で一体鋳造することによりさらに軽量化しています。
本体を長く使えます。（図２  （５））
【手続補正４】
【補正対象書類名】明細書
【補正対象項目名】００１２
【補正方法】変更
【補正の内容】
【００１２】木柄の接合部分をネジで取付することにより破損した場合に交換可能です。（図２  （１））
【手続補正５】
【補正対象書類名】明細書
【補正対象項目名】００１３
【補正方法】変更
【補正の内容】
【００１３】素材をマグネシウム合金にした為、軽量で長時間使用可能になった。（図１）
【手続補正６】
【補正対象書類名】明細書
【補正対象項目名】００１４
【補正方法】変更
【補正の内容】
【００１４】鏝の首部を従来品の鉄からマグネシウム合金一体鋳造することによりさらに軽量することが可能になった。（図２  （５））
【手続補正７】
【補正対象書類名】明細書
【補正対象項目名】００１５
【補正方法】変更
【補正の内容】
【００１５】木柄を鏝に接合する部分にネジを使用することにより破損時は簡単に交換可能になった。（図２  （１））
【手続補正８】
【補正対象書類名】明細書
【補正対象項目名】００１６
【補正方法】変更
【補正の内容】
【００１６】従来品より肉厚を薄くしても強度が保てます。（図２  （６））
(57)【要約】      （修正有）【課題】ひと目で分かり、何度（１度は半音）ずれるかを数字で見ることができる移調、コード変換のためのスケールを提供する。【解決手段】ベニヤ板が入る溝を設け、ベニヤ板が滑り易いようにし、オリジナルキーを記載してある本体１と、キーを記載し、必要な時、右に移動することができるベニヤ板２からなる。【選択図】図１
0003215403.tif 000002
【実用新案登録請求の範囲】
【請求項１】
木製の本体にベニヤ板が入る溝を設け、ベニヤ板が滑り易いようにする。本体には、オリジナルキーを記載し、ベニヤ板の方へもキーを記載する。移調が必要な時、ベニヤ板を右に移動することにより、人目で各コード変換がわかることを特徴とする移調、コード変換のためのスケール。
【請求項２】
制作するには、木製でなくても金属、厚紙、ダンボール、プラスチック等が可能である。
【考案の詳細な説明】
【技術分野】
【０００１】  本考案は、曲の調を移調するため、簡単なコードに変換するために関するものである。
【背景技術】
【０００２】  円形の物はあるが、見にくく横にスライドする物はまだ無い。
【先行技術文献】
【０００３】  なし
【考案の概要】
【考案が解決しようとする課題】
【０００４】  曲の調を変える場合１つ１つのコードをずらして書き込む必要があった。従ってこの移調スケールを使うことにより人目で分かり、何度（１度は半音）ずれるかを数字で見ることができることを可能とするものである。
【課題を解決するための手段】
【０００５】  本考案は上部を移動することにより移調することができ、人目で分かり何度（１度は半音）ずれるかを数字で見ることができ、曲の難しい変換の問題点を解決している。【０００６】  上述のように本考案の移調スケールは主にギターに用いられるが他の楽器等にも応用できる。
【図面の簡単な説明】
【０００７】
【図１】本考案の移調スケールの一実地例を示した正面図である。
【図２】本考案の移調スケールの一実地例を示した側面図である。
【考案を実施するための形態】
【０００８】  移調スケールの本体にスケールの記載してあるベニヤ板を挟む。右側に揃えると本体とベニヤ板の記載してある各コードが一致している。次に移調する場合、ベニヤ板側を右に１度、２度、３度と動かすと、右下に動かした数が現れる。
【実施例】
【０００９】  以下、添付図面に従って一実施例を説明する。１は本体でオリジナルキーとしてＡ／ｍ〜Ｇ／ｍまで記載されている。２はベニヤ板でキーがＤ／ｍ〜Ａ／ｍ〜Ｇ／ｍまで記載されている。３は移調度数で、この図の場合３度右に移動している。４は立っている時の足で、回転でき、本体の下に収納して、使用時には９０°回転させる。【００１０】  本考案の一実施例は上述の如き構成からなるものであるから、移調の度数は自分で決めることができ、本例では７度まで使用できる。足は左右に回転することができ、本体の下に収まる。
【符号の説明】
【００１１】１、  本体
２、  ベニヤ板
３、  移調度数
４、  足
【図１】
0003215403.tif 000003
【図２】
0003215403.tif 000004
【手続補正書】
【提出日】平成29年12月27日(2017.12.27)
【手続補正１】
【補正対象書類名】実用新案登録請求の範囲
【補正対象項目名】全文
【補正方法】変更
【補正の内容】
【実用新案登録請求の範囲】
【請求項１】
移調、コード変換のためのスケールにおいて
（１）ベニヤ板が入る溝を設け、ベニヤ板が滑り易いようにし、オリジナルキーを記載        してある本体
（２）キーを記載し、必要な時、右に移動することができるベニヤ板以上の構成からな        ることを特徴とする移調、コード変換のためのスケール
【請求項２】
上記本体は、木製の代わりに金属、厚紙、ダンボール、またはプラスチックであることを特徴とする請求項１記載の移調、コード変換のためのスケール
(57)【要約】      （修正有）【課題】捕獲対象に応じた指の微妙な力加減を軽減できるとともに、捕獲後も保持するための指先の緊張を軽減できるピンセットまたは毛抜きを提供する。【解決手段】ピンセットまたは毛抜きにおける２つのアーム１の捕獲部分２と操作部分５との間の適切な位置に圧力バンド４を用いて、アームの接点３が適切な力で接するようにする。対象物の捕獲目的に応じた強さで接しておくことが重要である。対象物を捕獲すると接点３が離れ、適切な圧力が対象物に加わる。ちぎれやすいなどの繊細な対象に対しては弱い圧力のバンドを用いることで決められた力で捕獲できる。捕獲時の指の動作はこの捕獲力にあまり影響を与えない。【選択図】図１
0003215410.tif 000002
【実用新案登録請求の範囲】
【請求項１】
一膳の箸のような２つのアームの途中を、単なるブリッジ接続ではなく圧力バンドで目的に応じた力で接触させておくことを特徴とし、ハンドルを押して対象物を捕獲した瞬間にその力が一気に階段的に対象物に加わるように構成したピンセットまたは毛抜き。
【考案の詳細な説明】
【技術分野】
【０００１】
本考案は、ピンセットまたは毛抜きの新しいしくみに関する。
【背景技術】
【０００２】
従来の一般的なピンセットや毛抜きの多くは元が接続された２本の捕獲アーム先端で対象物（部品や毛など）を挟み取るものである。また対象物を保持する力は指先の力そのものである。
【先行技術文献】
【特許文献】
【０００３】
【特許文献１】特開２０１５−０１６５４３号公報
【特許文献２】登録実用新案第３１７５２３２号広報
【特許文献３】登録実用新案第３２１２０７７号広報
【考案の概要】
【考案が解決しようとする課題】
【０００４】
決められた一定の力で対象物を捕獲できるようにする。これは従来のピンセットまたは毛抜きが指の繊細な力で捕獲するのとは大きく異なる。また対象物を保持する指の力を軽減する。
これによってピンセットまたは毛抜きを用いた作業の労力を減らすことができる。
特許文献３は本考案者によるものであるが、請求項１の内容が適切でなかったので改めて本考案とした。同請求項２は技術評価において評価６を得ているので今回は言及しない。
【課題を解決するための手段】
【０００５】
第１考案を実現するにあたって、図１のピンセット（または毛抜き）の２つの捕獲アーム１はその接点３が離れないように、目的に応じた強さの圧力バンド４を用いて構成される。図２のように捕獲したときにその接点３は離れるがこのときの捕獲力を決定するのはこの圧力バンド４の力である。
特許文献２は形状としては本考案に似ているが、代表図面において弾性体１３は単に２つのアームをブリッジしているだけなのでピンセット本体１１、１２を押して対象物を捕獲し始めると、捕獲対象には０から徐々に力が加わる（図４のグラフで示す）。
それに対して本考案では最初から２つのアーム１の接点３に力が加えられているので、捕獲と同時にアーム１の接点３が離れるが、その瞬間に階段的に一定の力が加わる。その強さは指の保持力に左右されない（図５のグラフで示す）。
これが今までのピンセットまたは毛抜きと異なる点である。
特許文献１の代表図面において付勢部５も上記の観点から本考案とは異なるものである。
対象物の捕獲力は、この圧力バンド４の力による。捕獲状態を維持するのはハンドル５を持つ指であるが、必要な力は捕獲部分２の位置（Ａとする）と圧力バンド４の位置（Ｂとする）とハンドル５の取り付け位置（Ｃとする）による「てこの原理」で軽減される（ＡＢ／ＡＣ  倍）。
【考案の効果】
【０００６】
対象物を保持するのに指の直接的な力ではなく接触接続用の圧力バンド４の圧力となる。
このバンド４の圧力を捕獲対象に応じて適切にする。ちぎれやすい対象を繊細に捕獲したり、力強く引き抜いたり、重いものをしっかりつかんだりと用途に応じたピンセットまたは毛抜きを構成できる。また一つのピンセットまたは毛抜きに対しても圧力バンド４の数や強さを調節することで多用途に使用できる。
【図面の簡単な説明】
【０００７】
【図１】第１考案を実現した具体例である。これはピンセットとして機能する。ハンドル５を押し始めて捕獲動作が始まっている状態である。
【図２】対象物を捕獲した状態である。接点３がわずかに離れてバンド４の圧力が対象物に働いている状態である。
【図３】使用していない状態である。
【図４】従来のピンセットまたは毛抜きの捕獲動作と捕獲力の変化を示すおおよそのグラフである。
【図５】本考案におけるピンセットまたは毛抜きの捕獲動作と捕獲力の変化を示すおおよそのグラフである。
【図６】第１考案を実現した別の具体例である。これは鼻毛抜きとして機能する。
【図７】図６の鼻毛抜きが毛を捕獲した状態である。ストッパー６も機能しているが本考案ではそれに触れない。特許文献３で説明されている。
【考案を実施するための形態】
【０００８】
図１において圧力バンド４の位置と２つのアーム１の接点３位置と接点３の形状、そしてハンドル５の取り付け位置で本考案の捕獲目的が変化する。以下の２つの例では接点３は、捕獲動作の際にころがりで移動するようにしたが、捕獲した時に離れるようになっている移動しない接点３の設計も容易である。
【実施例１】
【０００９】
図１、図２、図３は、本考案をピンセットとして用いるための１実施例である。
【実施例２】
【００１０】
図６、図７は、本考案を鼻毛抜きとして用いるための１実施例である。捕獲部をゴムのような滑りにくい材質にすることで、捕獲さえできれば強めのバンドの力で確実に抜くことができる。
【符号の説明】
【００１１】
１  アーム
２  アームの捕獲部分
３  バンドの圧力を受け止める接点
４  捕獲対象に対応した強さのバンド
５  親指、人差し指、中指などで操作するためのハンドル
６  ストッパー（ここで２つの捕獲アームの回転が制限され、これを支点として捕獲部分に力が加わる）
【図１】
0003215410.tif 000003
【図２】
0003215410.tif 000004
【図３】
0003215410.tif 000005
【図４】
0003215410.tif 000006
【図５】
0003215410.tif 000007
【図６】
0003215410.tif 000008
【図７】
0003215410.tif 000009
【手続補正書】
【提出日】平成30年1月15日(2018.1.15)
【手続補正１】
【補正対象書類名】実用新案登録請求の範囲
【補正対象項目名】全文
【補正方法】変更
【補正の内容】
【実用新案登録請求の範囲】
【請求項１】
曲面を有する変形しない剛体でできた２本の接続されていないアームをその曲面上の点または線または面で接触するように圧力バンドで締め付けた状態にして、２本のアームのハンドル部分を動かしアームの開いていた先端が対象物を挟むことで、最初の接触部分が離れる形の、結合されていない２本の剛体のアームが圧力バンドによる接触を持つことを特徴とするピンセットまたは毛抜き。
(57)【要約】      （修正有）【課題】手以外に足指で球をつかみビンゴができるようになるビンゴゲーム台を提供する。【解決手段】略直方体のビンゴ本体１と、そのビンゴ本体に並べる球５と、数字を記載したカード２を備え、ビンゴ本体１の表面には縦、横に格子状に５×５の合計２５のビンゴ孔４を設け、側面の一つにカード２を差し替えるためのカード投入口３を備え、カードには、縦、横の格子位置に、予め決められた異なる数字が記載されており、カードをビンゴ本体に挿入したときに、数字はビンゴ本体のビンゴ孔に通して上から見えるように配置された構成で、ビンゴ本体１のビンゴ孔に球を並べて遊べるようにしたことを特徴とする。【選択図】図１
0003215404.tif 000002
【実用新案登録請求の範囲】
【請求項１】
略直方体のビンゴ本体１と、そのビンゴ本体に並べる球５と、数字を記載したカード２を備え、ビンゴ本体１の表面には縦、横に格子状に５×５の合計２５のビンゴ孔４を設け、側面の一つにカード２を差し替えるためのカード投入口３を備え、
カードには、縦、横の格子位置に、予め決められた異なる数字が記載されており、カードをビンゴ本体に挿入したときに、数字はビンゴ本体のビンゴ孔に通して上から見えるように配置された構成で、ビンゴ本体１のビンゴ孔に球を並べて遊べるようにしたことを特徴とするビンゴゲーム台。
【考案の詳細な説明】
【技術分野】
【０００１】  本考案は、球を並べることでビンゴを行えるビンゴゲーム台に関する
【背景技術】
【０００２】  ビンゴは紙のカードを使用して行っていた。
【考案の概要】
【考案が解決しようとする課題】
【０００３】従来のビンゴゲームは、紙のカードを使用するもので、ビンゴゲーム終了後、カードは使い捨てで廃棄していた。
【課題を解決するための手段】
【０００４】略直方体のビンゴ本体１と、そのビンゴ本体に並べる球５と、数字を記載したカード２を備え、ビンゴ本体１の表面には縦、横に格子状に５×５の合計２５のビンゴ孔４を設け、側面の一つにカード２を差し替えるためのカード投入口３を備え、
カードには、縦、横の格子位置に、予め決められた異なる数字が記載されており、カードをビンゴ本体に挿入したときに、数字はビンゴ本体のビンゴ孔に通して上から見えるように配置された構成で、ビンゴ本体１のビンゴ孔に球を並べて遊べるようにしたことを特徴とするビンゴゲーム台である。
【考案の効果】
【０００５】  上述のように、本考案のビンゴゲームは、球を並べるので手以外に足指で球をつかみビンゴができるようになる。
一人でも足指で球を掴んで楽しむことができ、速さを計測して運動能力を見極めることができる。
また、カードを差し替えて使用できるので、経済的で永続的に使用でき、いろいろなビンゴゲームが楽しめる。
【図面の簡単な説明】
【０００６】
【図１】本考案のビンゴゲーム台の構成である。
【図２】図１の矢視図Ｐである（カードなし）。
【図３】本考案のビンゴゲーム台で、ビンゴ本体に球を乗せた状態。
【考案を実施するための形態】
【０００７】  図１は、本考案のビンゴゲーム台の構成である。
本考案のビンゴゲーム台６は、ビンゴ本体１と、そのビンゴ本体に並べる球５と、数字を記載したカード２からなる。
【０００８】  本考案のビンゴ本体１は略直方体状で、表面には縦、横に５×５の合計２５のビンゴ孔４がある。
図２に示すように、側面の一つにカード２を差し替えるためのカード投入口３がある。カードには、縦、横の５×５の格子位置に、予め決められた異なる数字が記載されている。カードをビンゴ本体に挿入したときに、カードの数字は、ビンゴ本体の上から見えるように、ビンゴ孔に対応して配置されている。
【０００９】  図３に示すように、プレイヤーは、数字が読み上げられると、手や足などで球５を掴んで、読み上げた数字の位置に置き、球が縦、横、斜めに並ぶとビンゴとなる。
本考案は手の不自由な人でも、足で球を掴んで、孔に置くことがで、ビンゴ遊びを楽しめる。
【産業上の利用可能性】
【００１０】  手や足で球を掴んでビンゴができるビンゴゲーム台を提供する。
【符号の説明】
【００１１】１    ビンゴ本体
２    カード
３    カード投入口
４    ビンゴ孔
５    球
６    ビンゴゲーム台
【図１】
0003215404.tif 000003
【図３】
0003215404.tif 000004
【手続補正書】
【提出日】平成29年12月11日(2017.12.11)
【手続補正１】
【補正対象書類名】図面
【補正対象項目名】全図
【補正方法】変更
【補正の内容】
【図１】
0003215404.tif 000005
【図２】
0003215404.tif 000006
【図３】
0003215404.tif 000007
(57)【要約】      （修正有）【課題】保護目的を果たしつつも、厚みを抑えることで蒸れにくく、縫製しやすく、着用感の良いサポーターを提供する。【解決手段】伸縮性の高いサポーター用生地の上に、熱可塑性エラストマー３を、糸による縫製を行うことなく、熱融着性樹脂４により熱加工だけで固定させる。従来のウレタンクッションよりも薄手で、着用感の良いものとなる。また、熱可塑性エラストマー３は、分割して構成されており、関節可動域が運動時において制限される事がない。【選択図】図２
0003215408.tif 000002
【実用新案登録請求の範囲】
【請求項１】
伸縮性の高いサポーター用生地の上に、熱可塑性エラストマーを固定させた、サポーター。
【請求項２】
熱可塑性エラストマーは、糸による縫製を行うことなく、熱融着性樹脂により熱加工だけで固定させる、請求項１記載のサポーター。
【請求項３】
熱可塑性エラストマーは、分割して構成されており、関節可動域が運動時において制限される事のない、請求項１または２記載のサポーター。
【考案の詳細な説明】
【技術分野】
【０００１】      本考案はサポーターに関するものである。
【背景技術】
【０００２】      サポーターとは、主にスポーツを行う際に体を保護するために着用される、伸縮性の高い布である。スポーツを行う際に、体を接地させるなどの衝撃から守るため、クッション性のあるパッド付きのサポーターが多い。
【考案の概要】
【考案が解決しようとする課題】
【０００３】      従来のパッド付きサポーターにおいては、パッドをウレタンクッションで形成し、伸縮性の高いサポーター用生地に縫製することで、体を保護する機能を果たすものが一般的である。しかし、ウレタンクッションは厚みがあるため、蒸れやすく、縫製しにくく、着用感も悪いというデメリットがある。そこで、サポーターには、保護目的を果たしつつも、厚みを抑えることで蒸れにくく、縫製しやすく、着用感の良いものが求められている。
【課題を解決するための手段】
【０００４】      伸縮性の高いサポーター用生地の上に、熱可塑性エラストマーを、糸による縫製を行うことなく、熱融着性樹脂により熱加工だけで固定させるサポーターであって、熱可塑性エラストマーは分割して構成されており、関節可動域が運動時において制限される事のないサポーターである。
【考案の効果】
【０００５】      伸縮性の高いサポーター用生地の上に、熱可塑性エラストマーを、糸による縫製を行うことなく、熱融着性樹脂により熱加工だけで固定させる事により、従来のウレタンクッションよりも薄手で、着用感の良いものとなる。また、熱可塑性エラストマーは、分割して構成されており、関節可動域が運動時において制限される事がない。また、体を接地させる時においても、接地の衝撃から十分に保護するものである。
【図面の簡単な説明】
【０００６】
【図１】本考案のサポーターの本体を示す説明図である。
【図２】本考案のサポーターの融着加工の断面図である。
【考案を実施するための形態】
【０００７】      以下、図１と図２を参照して本考案の詳細について説明する。
従来のパッド付きサポーターにおいては、パッドをウレタンクッションで形成し、伸縮性の高いサポーター用生地に縫製することで、体を保護する機能を果たすものが一般的である。しかし、ウレタンクッションは厚みがあるため、蒸れやすく、縫製しにくく、着用感も悪いというデメリットがある。そこで、サポーターには、保護目的を果たしつつも、厚みを抑えることで蒸れにくく、縫製しやすく、着用感の良いものが求められている。
図１は、伸縮性の高いサポーター用生地の上に、熱可塑性エラストマーを、糸による縫製を行うことなく、熱融着性樹脂により熱加工だけで固定させたサポーターである。固定された熱可塑性エラストマーは、分割して構成されており、関節可動域が運動時において制限される事がない。サポーターによって保護される体の箇所は、肘や膝等の関節に限らず、運動により負荷が掛かりうる部位が含められる事もある。
図２の熱可塑性エラストマーの厚みは１ミリから１０ミリ、望ましくは２ミリから５ミリとする。また、硬度計による硬度の数値においては、１０から５０、望ましくは２０から３０までとする。
【符号の説明】
【０００８】    １  サポーター本体
２  ニット生地
３  熱可塑性エラストマー
４  熱融着性樹脂
【図１】
0003215408.tif 000003
【図２】
0003215408.tif 000004
(57)【要約】      （修正有）【課題】管路内の点検に際し、管路内での作業者の立会いを不要とし、管路内の撮影画像を安定して取得することが可能な管路内撮影装置を提供する。【解決手段】管路内撮影装置１０は、１又は２以上のローラー１と、前記ローラーに接触しながら管路内を移動するケーブル２と、前記ケーブルと共に管路内を移動し、管路内を撮影する撮影手段３と、前記撮影手段内に組み込まれ、管路内に光を照射する照射手段４とを備えることを特徴とする。【選択図】図１
0003215433.tif 000002
【実用新案登録請求の範囲】
【請求項１】
１又は２以上のローラーと、
前記ローラーに接触しながら管路内を移動するケーブルと、
前記ケーブルと共に管路内を移動し、管路内を撮影する撮影手段と、
前記撮影手段内に組み込まれ、管路内に光を照射する照射手段と
を備える、管路内撮影装置。
【請求項２】
請求項１に記載の管路内撮影装置であって、
１のローラーを備えることを特徴とする、管路内撮影装置。
【請求項３】
請求項１に記載の管路内撮影装置であって、
２以上のローラーを備えることを特徴とする、管路内撮影装置。
【請求項４】
請求項１に記載の管路内撮影装置であって、
１のローラーと２以上のローラーを組み合わせてなることを特徴とする、
管路内撮影装置。
【請求項５】
請求項１に記載の管路内撮影装置であって、
前記ローラーを中心として配置される３本の伸縮自在のパイプを備えることを特徴とする、管路内撮影装置。
【考案の詳細な説明】
【技術分野】
【０００１】  本発明は、下水管路などの管路内を移動して画像を取得し、管路の内面の状態を把握する管路内撮影装置に関する。
【背景技術】
【０００２】  管路の老朽化が進行するとひび割れや破損、腐食などの異常が発生する。その結果、管内の液体を管外と分離して流す機能が低下するとともに、土砂が管外から管内に入って地中に空隙ができ、それが原因で道路の陥没事故が発生する可能性がある。【０００３】  そこで、老朽化にともなう管路の異常を把握する技術が必要となる。特許文献１には、テレビカメラを搭載した小型の自走車を下水管の中で走行させ、管内の状態を監視する技術が記載されている。
【先行技術文献】
【特許文献】
【０００４】
【特許文献１】特開平９−２２６５７０号公報
【特許文献２】特開２００７−８２３７２号公報
【考案の概要】
【考案が解決しようとする課題】
【０００５】  特許文献１では、下水管路の中に入れた自走車のテレビカメラで画像を取得する。しかし、この場合予め下水管路の中に人が入り、地上から自走車を受け取って下水管路の中に設置する作業が必要となる。【０００６】  下水管路の中に人が入る際は、通常マンホールから入る。マンホールは自動車が行き来する路面上に設置されているのが通常であり、昼間に空けることは困難である。よって、マンホール内に侵入するには、夜間に行う必要である。夜間作業は人件費が高く、危険が伴うため、事業者の立場として好ましくない。【０００７】  また、下水管路の中は硫化水素などの有毒ガスが充満している可能性があるため、人が入る前に、硫化水素や酸素などの濃度を計測する必要がある。人が下水管路内で作業するにあたって不適切な環境であれば、地上から空気を下水管路内に吹き込んで換気する作業が必要とされる。【０００８】  さらに、下水管路を撮像する際には、撮像する機器が管路の内面に衝突することなく、画像を安定して撮影することが求められる。【０００９】  本発明はこれらの課題に鑑みて為されたものであり、本発明の目的は、管路の点検に際し、管路内での作業者の立会いを不要とし、管路内の撮影画像を安定して取得することが可能な撮影装置を提供することにある。
【課題を解決するための手段】
【００１０】  本発明の管路内撮影装置は、１又は２以上のローラーと、前記ローラーに接触しながら管路内を移動するケーブルと、前記ケーブルと共に管路内を移動し、管路内を撮影する撮影手段と、前記撮影手段内に組み込まれ、管路内に光を照射する照射手段とを備えることを特徴とする。
【考案の効果】
【００１１】  本発明によれば、管路の点検に際し、管路内での作業者の立会いを不要とし、管路内の撮影画像を安定して取得することが可能な撮影装置を提供することができる。
【図面の簡単な説明】
【００１２】
【図１】図１は本発明における管路内撮影装置の一実施形態である。
【図２】図２は本発明において、複数のローラーを用いた形態である。
【図３】図３は本発明における管路内撮影装置の部品側面図である。
【図４】図４は本発明における管路内撮影装置の部品詳細図である。
【考案を実施するための形態】
【００１３】  本発明の管路内撮影装置は、管路内を移動し、亀裂やクラックの点検に用いるものである。管路は、例えば下水管、マンホール、ガス管、トンネルなどが挙げられ、特に制限されるものではない。
【００１４】  以下、具体的な一例として、下水管を対象とした場合の一実施形態を図面を用いて説明する。
【実施例】
【００１５】  図１を参照して、本発明に係る管路内撮影装置１０は、ローラー１、ケーブル２、撮影手段３、照射手段４からなる。これにより、作業者が立ち会わずとも、安定して管路内の画像を撮影することができる。【００１６】  図２を参照して、本発明に係る管路内撮影装置１０は、１のローラーと２以上のローラーとを組み合わせてなるものでもよい。この場合、管路の入口と出口で高さが異なっていても、撮像する機器が管路の内面に衝突することなく、画像を安定して撮影することができる。【００１７】  図３を参照して、本発明に係る管路内撮影装置１０は、ローラーを中心として配置される３本の伸縮自在のパイプを備えることができる。この場合、ローラー部分を固定して浮かせることができるため、ローラーやケーブル部分が管路内に接触することを防ぐことができる。【００１８】  また、この場合、管路の入口と出口で角度が変わっても、画像を安定して撮影することができる。管路入口と出口のなす角度は特に制限されない。管路入口と出口のなす角度は、例えば９０°（Ｌ字分岐管路）である。
【産業上の利用可能性】
【００１９】  本発明の管路内撮影装置は、下水管、ガス管、トンネル、集合管、内容物を抜いて気体で置換した水道管、蒸気配管、オイル配管、伏せ越し管、マンホール等、あらゆる管路に利用できる。
【符号の説明】
【００２０】  １  ローラー
２  ケーブル
３  撮影手段
４  照射手段
１０  管路内撮影装置
【図１】
0003215433.tif 000003
【図２】
0003215433.tif 000004
【図３】
0003215433.tif 000005
【図４】
0003215433.tif 000006
(57)【要約】      （修正有）【課題】軟質発泡樹脂をはじめとする軟質素材からなる各種マスコット装着物に対する引張強度が格段と高まる結合具を提供する。【解決手段】頭頂部１ａが環状に形成されるヒートン部１と、ヒートン部１に連結され装着物に挿入されるヒートン受け部２を備える結合具Ａにおいて、ヒートン受け部２が、多数の穴Ｈ群が設けられた矩形状薄板に形成される。【選択図】図１
0003215298.tif 000002
【実用新案登録請求の範囲】
【請求項１】
頭頂部が環状に形成されるヒートン部と、前記ヒートン部に連結され装着物に挿入されるヒートン受け部を備える結合具において、前記ヒートン受け部が、多数の穴群が設けられた矩形状薄板に形成されることを特徴とする結合具。
【請求項２】
前記ヒートン受け部が、矩形状穴が格子状に設けられた矩形状薄板に形成されることを特徴とする請求項１に記載された結合具。
【請求項３】
前記ヒートン部が、前記ヒートン受け部の外周部において連結されることを特徴とする請求項１又は請求項２に記載された結合具。
【請求項４】
前記ヒートン受け部が装着物と一体成形されることを特徴とする請求項１乃至請求項３の何れかに記載された結合具。
【考案の詳細な説明】
【技術分野】
【０００１】
本考案は、マスコット等を模した装着物と携帯電子機器などを、ストラップなどを介して連結可能とする結合具に関するものであり、特に、装着物が軟質素材からなる場合に好適な結合具に関するものである。
【背景技術】
【０００２】
従来より、各種マスコットを模した装着物とストラップなどを介して携帯電子機器を連結するための結合具が知られており、例えば、軸状の挿入部を備える吊り具が公知である（先行技術参照）。
【先行技術文献】
【特許文献】
【０００３】
【特許文献１】特開２０１６−１６８２４７公報
【０００４】
従来の結合具においては、結合具と装着物が離脱することを防止するため、装着物に挿入される部材に突出片などを形成させることにより、外部に露出したヒートン部からの引張方向に対して抵抗が生ずるような構成が各種採用されている。
【０００５】
しかしながら、近時、ストラップなどのマスコットの素材として触り心地の良い発泡ポリウレタンが用いられるが、当該素材は極めて軟質であるため、上記のような形態を備える結合具がヒートン部から強い力により引っ張られた場合、突出片などの面的な抵抗により、素材自体を引きちぎってしまうことがある。
【考案の概要】
【考案が解決しようとする課題】
【０００６】
本考案は、上記問題点に鑑みなされたものであって、軟質発泡樹脂をはじめとする軟質素材からなる各種マスコット装着物に対する引張強度が格段と高まる結合具を提供するものである。
【課題を解決するための手段】
【０００７】
本考案は、請求項１に記載のように、頭頂部が環状に形成されるヒートン部と、前記ヒートン部に連結され装着物に挿入されるヒートン受け部を備える結合具において、前記ヒートン受け部が、多数の穴群が設けられた矩形状薄板に形成されることを特徴とするものである。
【０００８】
本考案は、請求項２に記載のように、頭頂部が環状に形成されるヒートン部と、前記ヒートン部に連結され装着物に挿入されるヒートン受け部を備える結合具において、前記ヒートン受け部が、矩形状穴が格子状に設けられた矩形状薄板に形成されることを特徴とするものである。
【０００９】
本考案は、請求項３に記載のように、請求項１又は請求項２に記載された結合具において、ヒートン部が、ヒートン受け部の外周部において連結されることを特徴とするものである。
【００１０】
本考案は、請求項４に記載のように、請求項１乃至請求項３の何れかに記載された結合具において、ヒートン受け部が装着物と一体成形されていることを特徴とするものである。
【考案の効果】
【００１１】
本考案は、請求項１乃至請求項４に記載した構成を採用することにより、軟質発泡樹脂をはじめとする軟質素材からなるマスコット装着物との結合性が極めて高い結合具を提供することが可能となる。
【図面の簡単な説明】
【００１２】
【図１】本考案に係る結合具の一実施形態を表した斜視図である。
【図２】本考案に係る結合具の一実施形態を表した側面図である。
【考案を実施するための形態】
【００１３】
以下、図１〜図２を参照し、本考案に係る結合具の一実施形態に関して詳細に説明する。
【００１４】
本考案に係る結合具Ａは、携帯電子機器などと、ストラップなどを介して各種マスコットなどを模してデザインされた装着物（図示せず）を連結させるために使用されるものである。
【００１５】
ヒートン部１は、頭頂部１ａが環状に形成されており、これを介して携帯電子機器などの媒体とストラップなどを介して連結することが可能となる。
【００１６】
ヒートン部１は、ヒートン受け部２と連結しており、装着物に結合する際には、ヒートン部１が装着部から外部へ露出しており、ヒートン受け部２が装着物内に挿入された状態となる。
【００１７】
ヒートン受け部２は、穴群が設けられる矩形状薄板に形成される。
穴群は、特に限定されるものではないが、図示のような、矩形状の穴Ｈが格子状に全面に配されるなどの態様が想定される。
【００１８】
例えば、従来提供されているヒートン受け部に相当する部材の形状は、外部からの引張方向に対して、突起片などを施した構成にあっては、当該突起片の面的な抵抗はあるものの、発泡ポリウレタンのような軟質素材にあっては、その過度な抵抗により受け部が素材自体を引きちぎり挿入箇所周辺を引きちぎりながら離脱することになる。
【００１９】
また、ヒートン受け部の形態が細棒状である場合は、面的な抵抗は生じないが、装着物との一体性に乏しく、装着物からすっぽ抜けてしまう恐れがある。
【００２０】
一方、結合具が装着部と一体成形される本考案においては、穴群を介してヒートン受け部２が装着物の素材と一体化し、強固な結合が実現することとなり、引張方向に対する耐久力が飛躍的に向上することになる。
【００２１】
また、矩形状薄板とすることにより、軟質素材に挿入されていても、面的な過度な抵抗は生ずることはなく、強度な引張力に対しても、受け部による素材引きちぎるなどの破損はみられない。
【００２２】
なお、ヒートン１部は、ヒートン受け部２の外周部において連結されている。すなわち、ヒートン部を、ヒートン受け部の面中央において連結される構成にあっては、上述のように面的な抵抗が過度に生じてしまうが、本考案においては素材を破損させるような抵抗が生ずることはない。
【００２３】
結合具の素材は特に限定されないが、例えば、ヒートン受け部はＴＰＵやＴＰＲなどの熱可塑性樹脂などが選択される。
【００２４】
結合具と装着部とは一体成形されるものであるが、成形方法に特段の限定はなく、一般的な熱可塑性樹脂の成形法により行うことが可能である。
例えば、インモールド成形において、金型内に結合具をセットしたうえ、各種形状に成形される装着部の素材である発泡ポリウレタンを流し込み、射出時の熱と圧力により、結合具と装着物を一体成形する方法が挙げられる。
【符号の説明】
【００２５】
Ａ  結合具
１  ヒートン部
２  ヒートン受け部
Ｈ  穴
【図１】
0003215298.tif 000003
【図２】
0003215298.tif 000004
(57)【要約】      （修正有）【課題】容器回転型こね器の梁の部材とへら部材との摩擦により各部材が削り取られ粉塵となってこね器の容器に落下し、捏ね上がりのパン生地を汚染することを避けるへら保持具を提供する。【解決手段】へら７の保持部分とその移動機構を分離するために、回転容器８の台座１に固定した水平回転軸２に縦方向のリンク棒３を通し、そのリンク棒３の先端に縦向きの回転軸４を設け、その軸で支える水平方向のへら支持棒５にへら７とハンドル６を取り付け、そのハンドル６でへら７を上下左右に移動させることができる。【選択図】図１
0003215236.tif 000002
【実用新案登録請求の範囲】
【請求項１】
容器回転型こね器のへらの保持に用いられ、回転容器の台座に固定される水平回転軸を回転中心とし、上方に伸びるリンク棒の先端に設けた、リンク棒の伸びる方向を回転軸とする回転軸の周りに回転できるへら保持棒に固定されるへらを有する操作ハンドル付きのへら保持具
【考案の詳細な説明】
【技術分野】
【０００１】
小麦粉を主体とするパン生地用をこねるために開発された容器回転型こね器で使用するへらを保持・固定する方法に関する技術である。
【背景技術】
【０００２】
容器回転型こね器の特許出願がなされた際（特願２０１７−１８１５７８）に用いられているへら保持具は、水平に固定された角材にあけた穴にへらの持ち手を通し、へらの持ち手を上下左右に動かすことにより、生地のこね上がりに応じて生地にかかる圧力を調整する形状のものであったが、へら部材と角材の穴との間の摩擦により、各部材が少しずつ削り取られ、そのかけらがこね器のボウル内に落下する恐れがあった。特に、こねる圧力によっては、へら支持の部分とへら保持の角材穴との間のこすれによる接触表面部分のわずかな剥がれ材が粉末となってボウル内の生地に混入することは予期しない成分の付加につながるため、極力避けるべき事態である。
【先行技術文献】
【特許文献】
【０００３】
【特許文献１】なし。
【非特許文献】
【０００４】
【非特許文献１】水平梁にあけた穴を通してへらを保持する構造が容器回転型こね器として特許出願されている中に（特願２０１７−１８１５７８）用いられている。
【考案の概要】
【考案が解決しようとする課題】
【０００５】
従来のへら保持具では、へら支持の部分とへら保持の水平梁の穴との間のこすれによる接触表面部分のわずかな剥がれ材が粉末となって落下しボウル内の生地に混入することが避けられないが、このような落下物を防ぐ技術を生み出すことが必要である。
【課題を解決するための手段】
【０００６】
課題解決のため、へらの保持とへらの移動部分のこすれを発生する可能性がある部位をこね器の上部に位置しないようにへらを保持し、可動とする構造を考案した。
【０００７】
このへら保持具は、回転容器を水平方向から見た図１に示すように、回転容器８と共通の台座１に水平に保持された水平回転軸２の周りに回転できるリンク棒３の上部先端部につけられた縦回転軸４を回転中心とするへら保持棒５にへら７が固定され、へら保持棒５はハンドル６により、各回転自由度の方向に操作できる構造である。へらの上下は図１でハンドルを上下させればよく、へらの水平方向の移動は、回転容器を真上から見た図２に示すように水平に移動させればよい。いずれの移動も、水平回転軸２と縦回転軸４の回転角によっては純粋な鉛直移動、水平移動ではないことに注意する。
【考案の効果】
【０００８】
このへら保持具を用いると、こね作業の間、リンク棒が回転でこすれる部位がすべて回転容器の上から外れており、リンク棒や回転軸のこすれによる部材の剥がれ材が容器内に入り込む余地がなくなる。へらとハンドルとがしっかりとへら保持棒に固定されていれば、へらの保持部分からこすれる恐れも皆無である。
【０００９】
パン生地がこね上がるようになると、へらにかかる圧力が大きくなり、従来のへらの持ち手だけによる操作は困難が伴っていたが、構造上長いハンドルを使用できるため、操作性がよく、生地のこね上がりを観察しながら適切な操作ができるようになる。
【図面の簡単な説明】
【００１０】
【図１】この図は、、本へら保持具が取りつけられた容器回転型こね器の容器部分を水平方向から見た図であり、回転容器８と共通の台座１に水平に保持された水平回転軸２の周りに回転できるリンク棒３の上部先端部につけられた縦回転軸４を回転中心とするへら保持棒５にへら７が固定され、へら保持棒５はハンドル６により、各回転自由度の方向に操作できる構造である。
【図２】この図は図１に示す回転容器を真上から見た図である。ハンドル６により、へら保持棒５を縦回転軸４を中心として水平方向に回転させることにより、へら７を回転容器の半径方向に移動させることができる。
【図３】この図は図１と直角な水平方向から見たものである。回転容器８の回転軸は特願２０１７−１８１５７８で出願されたようにわずかに傾けられているのが特徴であり、ハンドル６を上下に動かしてへらの高さを変えることができる。
【考案を実施するための形態】
【００１１】
容器回転型こね器として特許出願されている中に（特願２０１７−１８１５７８）用いられているへら保持具（水平梁にあけた穴を通してへらを保持する構造）の代わりに用いる。
【実施例】
【００１２】
図１に示す通り、回転容器８の台座１に装着して用いる。へら７の位置と向きは、リンク棒３を垂直に立てた状態でへら保持棒５を移動させてへら７の位置が回転容器８の回転軸上に来たとき、へら７の先端が回転容器８の底面から少し上になるようにする。容器回転型こね器が手動式の場合、一方の手でその手動ハンドルを回しながら、他方の手でへら保持具のハンドルを持つことになるが、特願２０１７−１８１５７８で記載されるように手動ハンドルが回転容器の真下にある場合には操作性が悪いので、容器内の状態を覗きながら両方の手を使えるように、容器回転型こね器の手動ハンドルを真横に取り出すようにするのが望ましい。なお、台座に固定する水平回転軸２の位置は、へら保持棒のハンドル、回転を与える手動ハンドル、利き手、これら３者の位置関係を考慮して決める。電動式の場合には、回転容器の向きと利き手を考慮すればよい。
【産業上の利用可能性】
【００１３】
容器回転型こね器に利用される技術である。
【符号の説明】
【００１４】
１  台座
２  水平回転軸
３  リンク棒
４  縦回転軸
５  へら保持棒
６  ハンドル
７  へら
８  回転容器
【図１】
0003215236.tif 000003
【図２】
0003215236.tif 000004
【図３】
0003215236.tif 000005
(57)【要約】      （修正有）【課題】過多の電源コードを回避でき、より安全なＬＥＤ二焦点カーライトを提供する。【解決手段】一体化ＬＥＤ二焦点カーライトは、上半部ランプハウジングと、下半部ランプハウジングと、回路板と、を含み、上半部ランプハウジングと下半部ランプハウジングは、第一ネジを介して固定連結され、回路板は、上半部ランプポールハウジングと下半部ランプポールハウジング内に設けられ、上半部ランプポールハウジングと上半部ランプハウジングは一体化設置され、下半部ランプポールハウジングと下半部ランプハウジングは一体化設置され、上半部ランプポールハウジングの一端と下半部ランプポールハウジングの対応する一端とが第二ネジを介して固定連結される。【選択図】図１
0003215240.tif 000002
【実用新案登録請求の範囲】
【請求項１】
上半部ランプハウジングと、下半部ランプハウジングと、回路板と、を含み、前記上半部ランプハウジングと前記下半部ランプハウジングは、第一ネジを介して固定連結される一体化LED二焦点カーライトであって、
前記回路板は、前記上半部ランプポールハウジングと前記下半部ランプポールハウジング内に設けられ、前記上半部ランプポールハウジングと前記上半部ランプハウジングは一体化設置され、前記下半部ランプポールハウジングと前記下半部ランプハウジングは一体化設置され、前記上半部ランプポールハウジングの一端と前記下半部ランプポールハウジングの対応する一端とが第二ネジを介して固定連結され、前記回路板にはLEDランプが設けられ、駆動電源と冷却ファンは前記上半部ランプハウジングと前記下半部ランプハウジングにより形成されたキャビティ内に設けられ、前記回路板と前記駆動電源とが一体に設計され、入力線と電源プラグとが連結されていることを特徴とする一体化LED二焦点カーライト。
【請求項２】
前記下半部ランプハウジングに入力線が貫通するために設置されたスロットが設けられ、前記スロットにカバーボードが設けられ、前記スロットと前記カバーボードは、ネジを介して固定連結されることを特徴とする請求項１に記載の一体化LED二焦点カーライト。
【請求項３】
前記上半部ランプハウジングと前記下半部ランプハウジングには、それぞれ若干のスロットが設けられていることを特徴とする請求項１又請求項２はに記載の一体化LED二焦点カーライト。
【考案の詳細な説明】
【技術分野】
【０００１】
本考案は、カーライトの技術分野に関し、具体的には一体化LED二焦点カーライトに関するものである。
【背景技術】
【０００２】
既存のLED二焦点カーライトスロットとライトボディは相互分離されたので、ライトボディの体積が大きすぎて、実際使用する時に一部の車両モデルに設置できない場合があり、また既存のLED二焦点カーライトLEDランププレートと駆動電源は相互分離されたので、多くの電源コードで連結しなければならず、短絡が発生しやすく、巨大なセキュリティリスクが存在し、この二点がLED二焦点カーライトの応用の推進を制限している。
【考案の概要】
【考案が解決しようとする課題】
【０００３】
本考案の目的は、上記で述べた問題と不足点をを解決するために、過多の電源コードを回避でき、より安全なLED二焦点カーライトを提供することにある。
【課題を解決するための手段】
【０００４】
本考案の技術的問題を解決するための技術的手段は以下のとおりである。一体化LED二焦点カーライトは、上半部ランプハウジングと、下半部ランプハウジングと、回路板と、を含み、前記上半部ランプハウジングと前記下半部ランプハウジングは、第一ネジを介して固定連結され、前記回路板は、前記上半部ランプポールハウジングと前記下半部ランプポールハウジング内に設けられ、前記上半部ランプポールハウジングと前記上半部ランプハウジングは一体化設置され、前記下半部ランプポールハウジングと前記下半部ランプハウジングは一体化設置され、前記上半部ランプポールハウジングの一端と前記下半部ランプポールハウジングの対応する一端とが第二ネジを介して固定連結され、前記回路板にはLEDランプが設けられ、駆動電源と冷却ファンは前記上半部ランプハウジングと前記下半部ランプハウジングにより形成されたキャビティ内に設けられ、前記回路板と前記駆動電源とが一体に設計され、入力線と電源プラグとが連結されていることを特徴とする。
【０００５】
好ましくは、前記下半部ランプハウジングに入力線が貫通するために設置されたスロットが設けられ、前記スロットにカバーボードが設けられ、前記スロットと前記カバーボードは、ネジを介して固定連結される。
【０００６】
より好ましくは、前記上半部ランプハウジングと前記下半部ランプハウジングには、それぞれ若干のスロットが設けられている。
【考案の効果】
【０００７】
本考案のLEDランププレートと駆動電源を連結して一体化したので、電源コードが多すぎるという問題による短絡のセキュリティリスクを消去し、車両ランプの安全性能をアップし、もっと安全に使用でき、上半部ランプハウジングと下半部ランプハウジングにそれぞれ若干のスロットを設けて、各車種の設置に対応し、LEDカーライトのより幅広い範囲における応用の推進に役立つ。
【図面の簡単な説明】
【０００８】
【図１】本考案の分解した構造を示す模式図である。
【図２】本考案の分解した部分的な構造を示す模式図である。
【図３】本考案の分解した全体的な構造を示す模式図である。
【考案を実施するための形態】
【０００９】
図1-3で示したように、上半部ランプハウジング1と、下半部ランプハウジング2と、回路板3を含む一体化LED二焦点カーライトであって、前記上半部ランプハウジング1と前記下半部ランプハウジング2は、第一ネジ9を介して固定連結される。
【００１０】
前記上半部ランプハウジング1に一体化設置された上半部ランプポールハウジング14と、前記下半部ランプハウジング2に一体化設置された下半部ランプポールハウジング25は、第二ネジ91を介して固定連結され、前記回路板3は、前記上半部ランプポールハウジング14と前記下半部ランプポールハウジング25内に設けられ、駆動電源5と冷却ファン6は、前記上半部ランプハウジング1と前記下半部ランプハウジング2により形成されたキャビティ内に設けられている。
【００１１】
前記回路板3にはLEDランプが設けられ、前記回路板3と前記駆動電源5が一体に連結され、入力線4と電源プラグ8が連結されている。
【００１２】
前記下半部ランプハウジング2に入力線4貫通するために設置されたスロット22が設けられ、スロット22にカバーボード7が設けられ、スロット22とカバーボード7は、ネジ92を介して固定連結される。
【００１３】
前記上半部ランプハウジング1と前記下半部ランプハウジング2には、それぞれ若干のスロット12が設けられて、各種車種の設置に活用できる。
【００１４】
上記実施例は本考案の好適な実施形態であるが、本考案の実施形態は上記の実施例に限定されるものではない。本考案の精神及び原理から逸脱することない変更、修正、置換、組み合わせ、簡素化のいずれも、等価置換方式で、すべて本考案の保護範囲に含まれる。
【図１】
0003215240.tif 000003
【図２】
0003215240.tif 000004
【図３】
0003215240.tif 000005